(57)【要約】【課題】適切な無線チャネルを用いて迅速に無線ＬＡＮに基づく通信を開始することができるアクセスポイント２０を提供する。【解決手段】本発明のアクセスポイント２０は、有線ＬＡＮ１１を介して送受信される通信データを無線通信によって中継する機能を有する第１中継部２４を動作させる場合には、使用されていない無線チャネルを用いて、第１中継部２４に無線通信を行わせ、無線ＬＡＮ端末１２や他のアクセスポイント２０により送受信される通信フレームを、無線通信によって、他の無線ＬＡＮ端末１２やさらに他のアクセスポイントへ中継する第２中継部２１を動作させる場合には、各無線チャネルに送信されているビーコンの受信品質を測定し、予め定められた受信品質以上のビーコンが送信されている無線チャネルを用いて、第２中継部２１に無線通信を行わせる。【選択図】図２
2007006069.tif 000002
【特許請求の範囲】
【請求項１】
有線ＬＡＮに接続された他の通信機器により送受信される通信データを、無線ＬＡＮに基づく無線通信によって、無線ＬＡＮ端末または他のアクセスポイントへ中継する機能と、無線ＬＡＮに基づく無線通信によって、無線ＬＡＮ端末または他のアクセスポイントにより送受信される通信データを、他の無線ＬＡＮ端末またはさらに他のアクセスポイントへ中継する機能とを有する第１の中継手段、および、無線ＬＡＮに基づく無線通信によって、無線ＬＡＮ端末または他のアクセスポイントにより送受信される通信データを、他の無線ＬＡＮ端末またはさらに他のアクセスポイントへ中継する機能を有する第２の中継手段を備えるアクセスポイントであって、
予め定められた条件に基づいて、前記第１の中継手段および前記第２の中継手段のいずれを動作させるかを決定する中継モード決定手段と、
前記中継モード決定手段が前記第１の中継手段を動作させると決定した場合に、チャネルサーチを行うことにより、使用されていない無線チャネルを検出し、検出した無線チャネルを用いて、前記第１の中継手段に無線通信を行わせる第１のチャネル割当手段と、
前記中継モード決定手段が前記第２の中継手段を動作させると決定した場合に、各無線チャネルに送信されているビーコンの受信品質を測定し、予め定められた受信品質以上のビーコンが送信されている無線チャネルを用いて、前記第２の中継手段に無線通信を行わせる第２のチャネル割当手段と
を備えることを特徴とするアクセスポイント。
【請求項２】
請求項１に記載のアクセスポイントであって、
有線ＬＡＮを介して通信可能か否かを判定する有線ＬＡＮ通信判定手段をさらに備え、
前記中継モード決定手段は、
前記有線ＬＡＮ通信判定手段が有線ＬＡＮを介して通信可能と判定した場合に、前記第１の中継手段を動作させることを決定し、
前記有線ＬＡＮ通信判定手段が有線ＬＡＮを介して通信可能と判定しなかった場合に、前記第２の中継手段を動作させることを決定すること
を特徴とするアクセスポイント。
【発明の詳細な説明】
【技術分野】
【０００１】
本発明は、無線ＬＡＮの規格に基づいて通信を行うアクセスポイントに関する。
【背景技術】
【０００２】
ＩＥＥＥ８０２．１１ａやＩＥＥＥ８０２．１１ｂ等の規格に基づく無線ＬＡＮシステムに用いられるアクセスポイントが知られている。無線ＬＡＮと有線ＬＡＮとを中継する機能を有するアクセスポイントは、自身の配下にある無線ＬＡＮ端末との通信が、他のアクセスポイントの配下にある無線ＬＡＮ端末の通信と衝突しないように、他のアクセスポイントと異なる無線チャネルを使用することが好ましい。従来は、アクセスポイントを設置する際に、他のアクセスポイントが使用する無線チャネルと異なる無線チャネルを手動で設定していた。しかし、アクセスポイントの台数が多くなると、アクセスポイントの設定に時間がかかる場合があった。
【０００３】
これを回避するために、特許文献１には、有線ＬＡＮに接続された複数のアクセスポイントの中の１つがマスタアクセスポイントとなり、当該マスタアクセスポイントが、有線ＬＡＮを介して、有線ＬＡＮに接続された他のアクセスポイントに対して所定の処理を指示することにより、有線ＬＡＮに接続された複数のアクセスポイントの無線チャネルを適切に設定する技術が開示されている。
【０００４】
【特許文献１】特開２００４−９６１４８号公報
【発明の開示】
【発明が解決しようとする課題】
【０００５】
しかし、上記特許文献１に記載の技術では、有線ＬＡＮに接続されておらず、無線ＬＡＮ内の機器どうしの、無線通信による通信データの中継のみを行うアクセスポイントを含む場合の無線ＬＡＮシステムについては考慮されていない。このようなアクセスポイントは、有線ＬＡＮに接続されていないので、上記特許文献１に記載の方法では、それぞれのアクセスポイントの無線チャネルを自動的に設定することができない。
【０００６】
本発明は上記事情を鑑みてなされたものであり、本発明の目的は、設置された複数のアクセスポイントに、適切な無線チャネルを迅速に設定することができるようにすることにある。
【課題を解決するための手段】
【０００７】
上記課題を解決するために、本発明のアクセスポイントは、有線ＬＡＮに接続された他の通信機器により送受信される通信データを、無線ＬＡＮに基づく無線通信によって、無線ＬＡＮ端末または他のアクセスポイントへ中継する機能と、無線ＬＡＮに基づく無線通信によって、無線ＬＡＮ端末または他のアクセスポイントにより送受信される通信データを、他の無線ＬＡＮ端末またはさらに他のアクセスポイントへ中継する機能とを有する第１の中継手段を動作させる場合には、使用されていない無線チャネルを用いて、第１の中継手段に無線通信を行わせ、無線ＬＡＮに基づく無線通信によって、無線ＬＡＮ端末または他のアクセスポイントにより送受信される通信データを、他の無線ＬＡＮ端末またはさらに他のアクセスポイントへ中継する機能を有する第２の中継手段を動作させる場合には、各無線チャネルに送信されているビーコンの受信品質を測定し、予め定められた受信品質以上のビーコンが送信されている無線チャネルを用いて、第２の中継手段に無線通信を行わせる。
【０００８】
例えば、本発明は、有線ＬＡＮに接続された他の通信機器により送受信される通信データを、無線ＬＡＮに基づく無線通信によって、無線ＬＡＮ端末または他のアクセスポイントへ中継する機能と、無線ＬＡＮに基づく無線通信によって、無線ＬＡＮ端末または他のアクセスポイントにより送受信される通信データを、他の無線ＬＡＮ端末またはさらに他のアクセスポイントへ中継する機能とを有する第１の中継手段、および、無線ＬＡＮに基づく無線通信によって、無線ＬＡＮ端末または他のアクセスポイントにより送受信される通信データを、他の無線ＬＡＮ端末またはさらに他のアクセスポイントへ中継する機能を有する第２の中継手段を備えるアクセスポイントであって、予め定められた条件に基づいて、第１の中継手段および第２の中継手段のいずれを動作させるかを決定する中継モード決定手段と、中継モード決定手段が第１の中継手段を動作させると決定した場合に、チャネルサーチを行うことにより、使用されていない無線チャネルを検出し、検出した無線チャネルを用いて、第１の中継手段に無線通信を行わせる第１のチャネル割当手段と、中継モード決定手段が第２の中継手段を動作させると決定した場合に、各無線チャネルに送信されているビーコンの受信品質を測定し、予め定められた受信品質以上のビーコンが送信されている無線チャネルを用いて、第２の中継手段に無線通信を行わせる第２のチャネル割当手段とを備えることを特徴とするアクセスポインを提供する。
【発明の効果】
【０００９】
本発明によれば、設置された複数のアクセスポイントは、適切な無線チャネルを用いて迅速に無線ＬＡＮに基づく通信を開始することができる。
【発明を実施するための最良の形態】
【００１０】
以下、本発明の実施の形態について説明する。
【００１１】
図１は、本発明の一実施形態に係る無線ＬＡＮシステム１０の構成の一例を示すシステム構成図である。無線ＬＡＮシステム１０は、複数の無線ＬＡＮ端末１２および複数のアクセスポイント２０を備える。
【００１２】
複数の無線ＬＡＮ端末１２のそれぞれは、ＩＥＥＥ８０２．１１ａやＩＥＥＥ８０２．１１ｂ等の無線ＬＡＮの規格に基づいて、最寄りのアクセスポイント２０と無線通信を行うことにより、当該アクセスポイント２０を介して、他の無線ＬＡＮ端末１２や有線ＬＡＮ１１に接続された他の通信機器１３と通信を行う。
【００１３】
それぞれのアクセスポイント２０は、有線ＬＡＮ１１に接続されている場合、通信機器１３により送受信される通信フレームを、無線ＬＡＮに基づく無線通信によって、無線ＬＡＮ端末１２または他のアクセスポイント２０へ中継する機能と、無線ＬＡＮに基づく無線通信によって、無線ＬＡＮ端末１２または他のアクセスポイント２０により送受信される通信フレームを、他の無線ＬＡＮ端末１２またはさらに他のアクセスポイント２０へ中継する機能とを有する第１の中継モードで動作する。
【００１４】
一方、それぞれのアクセスポイント２０は、有線ＬＡＮ１１に接続されていない場合には、無線ＬＡＮに基づく無線通信によって、無線ＬＡＮ端末１２または他のアクセスポイント２０により送受信される通信フレームを、他の無線ＬＡＮ端末１２またはさらに他のアクセスポイント２０へ中継する機能を有する第２の中継モードで動作する。
【００１５】
また、第１の中継モードで動作する場合、それぞれのアクセスポイント２０は、起動後に無線ＬＡＮに使用される無線チャネルをサーチして空きチャネルを検出し、検出した空きチャネルを用いて、無線ＬＡＮ端末１２や他のアクセスポイント２０と無線通信を行う。
【００１６】
図１に示す例において、アクセスポイント２０−１およびアクセスポイント２０−２は、第１の中継モードとして動作している。アクセスポイント２０−１は、起動後に、有線ＬＡＮ１１に接続されているか否かを判定する。そして、アクセスポイント２０−１は、有線ＬＡＮ１１に接続されていると判定し、チャネルサーチを行って空きチャネルを検出する。そして、アクセスポイント２０−１は、空きチャネルとして検出した無線チャネルｆ１を用いて、無線ＬＡＮ端末１２−１と無線通信を行う。
【００１７】
アクセスポイント２０−２も同様に、起動後に有線ＬＡＮ１１に接続されていると判定し、空きチャネルを検出し、検出した空きチャネルである無線チャネルｆ２を用いて、無線ＬＡＮ端末１２−３と無線通信を行う。なお、それぞれのアクセスポイント２０は、起動後に、ランダムな時間だけ待機することにより、同一の空きチャネルを検出して、同一の無線チャネルを用いて無線通信を行うことを防止している。
【００１８】
第２の中継モードで動作する場合、それぞれのアクセスポイント２０は、無線ＬＡＮ端末１２または他のアクセスポイント２０により送受信される通信フレームを、無線通信により、他の無線ＬＡＮ端末１２またはさらに他のアクセスポイント２０へ中継する。
【００１９】
また、第２の中継モードで動作する場合、それぞれのアクセスポイント２０は、起動後に、それぞれの無線チャネルにおいて送信されているビーコンの受信品質を測定する。そして、アクセスポイント２０は、予め定められた受信品質以上のビーコンが送信されている無線チャネルを用いて、無線ＬＡＮ端末１２や他のアクセスポイント２０と無線通信を行う。ここで、予め定められたビーコンの受信品質とは、例えば通信を行うのに十分な受信品質を意味する。ビーコンの受信電界強度をビーコンの受信品質として測定する場合、予め定められたビーコンの受信品質は、例えば−８０ｄＢｍである。
【００２０】
図１に示す例において、アクセスポイント２０−３、２０−４、および２０−５は、第２の中継モードで動作している。アクセスポイント２０−３は、起動後に、有線ＬＡＮ１１に接続されているか否かを判定する。そして、アクセスポイント２０−３は、有線ＬＡＮ１１に接続されていないと判定し、それぞれの無線チャネルにおいて送信されているビーコンの受信品質を測定する。そして、アクセスポイント２０−３は、予め定められた受信品質以上のビーコンが送信されている無線チャネルｆ１と同一の無線チャネルｆ１を用いて、アクセスポイント２０−１および無線ＬＡＮ端末１２−２と無線通信を行う。
【００２１】
アクセスポイント２０−４もアクセスポイント２０−３と同様に、起動後に、有線ＬＡＮ１１に接続されていないと判定して、それぞれの無線チャネルにおいて送信されているビーコンの受信品質を測定する。そして、アクセスポイント２０−４は、予め定められた受信品質以上のビーコンが送信されている無線チャネルｆ２と同一の無線チャネルｆ２を用いて、アクセスポイント２０−２および無線ＬＡＮ端末１２−４と無線通信を行う。アクセスポイント２０−５もアクセスポイント２０−４と同様に、起動後に、有線ＬＡＮ１１に接続されていないと判定して、それぞれの無線チャネルにおいて送信されているビーコンの受信品質を測定する。そして、アクセスポイント２０−５は、予め定められた受信品質以上のビーコンが送信されている無線チャネルｆ２と同一の無線チャネルｆ２を用いて、アクセスポイント２０−４および無線ＬＡＮ端末１２−５と無線通信を行う。
【００２２】
図２は、アクセスポイント２０の詳細な構成の一例を示すブロック図である。アクセスポイント２０は、第２中継部２１、第２チャネル割当部２２、第１チャネル割当部２３、第１中継部２４、有線ＬＡＮ通信判定部２５、および中継モード決定部２６を備える。
【００２３】
有線ＬＡＮ通信判定部２５は、有線ＬＡＮ１１を介して通信が可能か否かを、例えば起動時に判定し、その旨を中継モード決定部２６に通知する。有線ＬＡＮ通信判定部２５は、例えば、通信ケーブルが接続されるとオンとなるようなリレースイッチ等のハードウェア的な手法によって通信ケーブルの接続を検出する方法や、有線ＬＡＮ１１上に流れるリンクパルスを検出することにより、有線ＬＡＮ１１を介して通信可能となったことを検出する方法、有線ＬＡＮ１１を介して通信フレームを検出した場合に有線ＬＡＮ１１を介して通信可能となったことを検出する方法等を用いて、有線ＬＡＮ１１を介して通信が可能か否かを判定する。
【００２４】
有線ＬＡＮ通信判定部２５は、例えば起動後の所定期間内に、有線ＬＡＮ１１を介して通信可能となったことを検出できない場合に、有線ＬＡＮ１１を介して通信可能でない旨を、中継モード決定部２６に通知する。
【００２５】
有線ＬＡＮ通信判定部２５から受信した判定結果が、有線ＬＡＮ１１を介した通信が可能である旨である場合、中継モード決定部２６は、第１チャネル割当部２３に空きチャネルの検出を指示する。一方、有線ＬＡＮ通信判定部２５の判定結果が、有線ＬＡＮ１１を介した通信が可能でない旨である場合、中継モード決定部２６は、第２チャネル割当部２２に、それぞれの無線チャネルにおいて送信されているビーコンの受信品質の測定を指示する。
【００２６】
第１チャネル割当部２３は、無線ＬＡＮに使用される無線チャネルをサーチして空きチャネルを検出する。そして、第１チャネル割当部２３は、空きチャネルとして検出した無線チャネルを第１中継部２４に通知する。
【００２７】
第１中継部２４は、有線ＬＡＮ１１に接続された他の通信機器１３により送受信される通信フレームを、第１チャネル割当部２３から通知された空きチャネルを用いた無線通信によって、無線ＬＡＮ端末１２または他のアクセスポイント２０へ中継する。また、第１中継部２４は、第１チャネル割当部２３から通知された空きチャネルを用いた無線通信によって、無線ＬＡＮ端末１２または他のアクセスポイント２０により送受信される通信フレームを、他の無線ＬＡＮ端末１２またはさらに他のアクセスポイント２０へ中継する。
【００２８】
第１中継部２４は、ＭＡＣアドレス学習機能を有しており、図３に示すようなアドレステーブル３０を用いて、受信した通信フレームを転送する通信ポートを決定し、受信した通信フレームを、決定した通信ポートへ送信する。
【００２９】
第１中継部２４によってアドレステーブル３０が使用される過程をより詳しく説明すると、第１中継部２４は、通信フレームを受信した場合に、当該通信フレームを受信したポートの種別をアドレステーブル３０の転送先ポート３２に格納する。そして、第１中継部２４は、当該通信フレームの送信元ＭＡＣアドレスをアドレステーブル３０の宛先ＭＡＣアドレス３１に格納する。さらに、第１中継部２４は、当該通信フレーム（ＭＡＣフレーム）のヘッダを参照して、当該通信フレームが、無線ＬＡＮ端末１２から直接送信されたものか、または他のアクセスポイント２０を経由して送信されたものかを判定する。
【００３０】
ここで、無線ＬＡＮに用いられるＭＡＣフレームのヘッダには、フレームボディの宛先および送信元の通信機器のＭＡＣアドレスに加えて、当該フレームボディを直前に中継したアクセスポイント２０のＭＡＣアドレスが含まれる。第１中継部２４は、ＭＡＣフレームのヘッダに、直前に中継したアクセスポイント２０のＭＡＣアドレスが含まれているか否かを判定することにより、当該通信フレームが、無線ＬＡＮ端末１２から直接送信されたものか、または他のアクセスポイント２０を経由して送信されたものかを判定する。
【００３１】
そして、無線ＬＡＮ端末１２から直接送信された場合に、第１中継部２４は、転送先３３に直接送信された旨を格納し、他のアクセスポイント２０を経由して送信された場合には、転送先３３に、最後に経由してきた他のアクセスポイント２０のＭＡＣアドレスを格納する。このようにして、第１中継部２４は、通信フレームを受信する都度、アドレステーブル３０に宛先ＭＡＣアドレス３１、転送先ポート３２、および転送先３３の組を追加していく。
【００３２】
これにより、第１中継部２４は、無線ＬＡＮポートまたは有線ＬＡＮポートを介して通信フレームを受信した場合に、アドレステーブル３０を参照することによって、受信した通信フレームの宛先ＭＡＣアドレスに基づいて、受信した通信フレームをどこへ転送すべきかを判断することができる。そのため、アクセスポイント２０は、通信フレームを転送するためにブロードキャストフレームを送信する機会を少なくすることができ、有線ＬＡＮおよび無線ＬＡＮのトラフィックの増加を抑えることができる。
【００３３】
第２チャネル割当部２２は、それぞれの無線チャネルにおいて送信されているビーコンの受信品質を測定する。そして、第２チャネル割当部２２は、予め定められた受信品質以上のビーコンが送信されている無線チャネルを、第２中継部２１に通知する。予め定められた受信品質以上のビーコンが送信されている無線チャネルが複数ある場合には、最も受信品質の良い無線チャネルを第２中継部２１に通知する。
【００３４】
本例において、第２チャネル割当部２２は、ビーコンの受信品質として、それぞれの無線チャネルにおいて送信されているビーコンの受信電界強度を測定する。他の例として、第２チャネル割当部２２は、それぞれの無線チャネルにおいて送信されているビーコンのフレームエラーレート等を、ビーコンの受信品質として測定してもよい。
【００３５】
第２中継部２１は、第２チャネル割当部２２から通知された無線チャネルを用いて、無線ＬＡＮ端末１２または他のアクセスポイント２０により送受信される通信フレームを、無線通信によって、他の無線ＬＡＮ端末１２またはさらに他のアクセスポイント２０へ中継する。
【００３６】
第２中継部２１は、ＭＡＣアドレス学習機能を有しており、図４に示すようなアドレステーブル４０を用いて、無線ＬＡＮポートを介して受信した通信フレームの転送先を決定し、受信した通信フレームを、決定した転送先へ送信する。アドレステーブル４０には、宛先ＭＡＣアドレス４１が、転送先４２に対応付けられて格納されている。
【００３７】
図５は、アクセスポイント２０の動作の一例を示すフローチャートである。電源が投入される等の所定のタイミングで、アクセスポイント２０は、本フローチャートに示す処理を開始する。
【００３８】
まず、有線ＬＡＮ通信判定部２５は、有線ＬＡＮ１１を介して通信が可能か否かを判定する（Ｓ１００）。有線ＬＡＮ１１を介して通信が可能である場合（Ｓ１００：Ｙｅｓ）、中継モード決定部２６は、所定時間待機して（Ｓ１０１）、空きチャネルの検出を第１チャネル割当部２３に指示する。
【００３９】
ステップ１０１において中継モード決定部２６が待機する時間は、例えばランダムに設定される。ここで設定される待機時間は、アクセスポイント２０毎に異なる値であることが好ましい。これにより、有線ＬＡＮ１１に接続された複数のアクセスポイント２０に、同時に電源が投入された場合であっても、複数のアクセスポイント２０が同一の無線チャネルを空きチャネルとして認識することを防止することができる。
【００４０】
次に、第１チャネル割当部２３は、無線ＬＡＮに使用される無線チャネルをサーチし（Ｓ１０２）、空きチャネルを検出できたか否かを判定する（Ｓ１０３）。空きチャネルを検出できなかった場合（Ｓ１０３：Ｎｏ）、有線ＬＡＮ通信判定部２５は、再びステップ１００に示す処理を行う。空きチャネルを検出できた場合（Ｓ１０３：Ｙｅｓ）、第１チャネル割当部２３は、空きチャネルとして検出した無線チャネルを第１中継部２４に通知する。
【００４１】
そして、第１中継部２４は、有線ＬＡＮ１１に接続された他の通信機器１３により送受信される通信フレームを、第１チャネル割当部２３から通知された空きチャネルを用いた無線通信によって、無線ＬＡＮ端末１２または他のアクセスポイント２０へ中継すると共に、第１チャネル割当部２３から通知された空きチャネルを用いた無線通信によって、無線ＬＡＮ端末１２または他のアクセスポイント２０により送受信される通信フレームを、他の無線ＬＡＮ端末１２またはさらに他のアクセスポイント２０へ中継する（Ｓ１０４）。
【００４２】
そして、アクセスポイント２０の電源がオフされた場合（Ｓ１０５：Ｙｅｓ）、アクセスポイント２０は本フローチャートに示す処理を終了する。アクセスポイント２０の電源がオフされていない場合（Ｓ１０５：Ｎｏ）、第１中継部２４は、再びステップ１０４に示した処理を行う。
【００４３】
ステップ１００において、有線ＬＡＮ１１を介して通信が可能でない場合（Ｓ１００：Ｎｏ）、中継モード決定部２６は、それぞれの無線チャネルにおいて送信されているビーコンの受信品質の測定を、第２チャネル割当部２２に指示する。そして、第２チャネル割当部２２は、それぞれの無線チャネルに送信されているビーコンの受信品質を測定する（Ｓ１０６）。
【００４４】
次に、第２チャネル割当部２２は、予め定められた受信品質以上のビーコンが送信されている無線チャネルを検出できたか否かを判定する（Ｓ１０７）。予め定められた受信品質以上のビーコンが送信されている無線チャネルを検出できた場合（Ｓ１０７：Ｙｅｓ）、第２チャネル割当部２２は、当該ビーコンが送信されている無線チャネルを第２中継部２１に通知する。第２中継部２１は、第２チャネル割当部２２から通知された無線チャネルを用いて、無線ＬＡＮ端末１２または他のアクセスポイント２０により送受信される通信フレームを、無線通信によって、他の無線ＬＡＮ端末１２またはさらに他のアクセスポイント２０へ中継する（Ｓ１０８）。
【００４５】
そして、アクセスポイント２０の電源がオフされた場合（Ｓ１０９：Ｙｅｓ）、アクセスポイント２０は本フローチャートに示す処理を終了する。アクセスポイント２０の電源がオフされていない場合（Ｓ１０９：Ｎｏ）、第２中継部２１は、再びステップ１０８に示した処理を行う。
【００４６】
以上、本発明の実施の形態について説明した。
【００４７】
上記説明から明らかなように、本実施形態のアクセスポイント２０によれば、設置後に、適切な動作モードで、迅速に無線ＬＡＮに基づく通信を開始することができる。
【００４８】
なお、本発明は上記の実施形態に限定されるものではなく、その要旨の範囲内で数々の変形が可能である。
【００４９】
例えば、本実施形態において、第２チャネル割当部２２は、起動時に所定の無線チャネルを検出して第２中継部２１に使用させるが、他の例として、起動時に所定の無線チャネルを検出した後にも、例えば１時間毎等の所定のタイミングでそれぞれの無線チャネルに送信されているビーコンの受信品質を測定し、現在使用している無線チャネルよりも受信品質の良いビーコンが送信されている無線チャネルを検出した場合には、当該検出した無線チャネルを第２中継部２１に使用させるようにしてもよい。
【００５０】
これにより、有線ＬＡＮ１１に接続されたアクセスポイント２０が新たに導入された場合に、当該新たに導入されたアクセスポイント２０からのビーコンの受信品質が、現在所属しているアクセスポイント２０からのビーコンの受信品質よりも良いときには、第２中継部２１は、自動的に、ビーコンの受信品質のより良いアクセスポイント２０に所属を変更することができる。
【００５１】
また、本例において、アクセスポイント２０は、1つの無線チャネルを用いて、無線ＬＡＮ端末１２または他のアクセスポイント２０と無線通信を行うが、他の例として、アクセスポイント２０は、複数の無線チャネルを用いて、無線ＬＡＮ端末１２または他のアクセスポイント２０と無線通信を行う機能を有していてもよい。
【００５２】
この場合、アクセスポイント２０は、有線ＬＡＮ１１を介して通信可能であるときには、空きチャネルである複数の異なる無線チャネルを用いて、無線ＬＡＮ端末１２または他のアクセスポイント２０と無線通信を行う。一方、有線ＬＡＮ１１を介して通信可能でないときには、アクセスポイント２０は、予め定められた受信品質以上のビーコンが送信されている無線チャネルを用いて、他のアクセスポイント２０と無線通信を行い、空きチャネルを用いて、無線ＬＡＮ端末１２と無線通信を行う。
【図面の簡単な説明】
【００５３】
【図１】本発明の一実施形態に係る無線ＬＡＮシステム１０の構成の一例を示すシステム構成図である。
【図２】アクセスポイント２０の詳細な構成の一例を示すブロック図である。
【図３】アドレステーブル３０の構成の一例を示す図である。
【図４】アドレステーブル４０の構成の一例を示す図である。
【図５】アクセスポイント２０の動作の一例を示すフローチャートである。
【符号の説明】
【００５４】
１０・・・無線ＬＡＮシステム、１１・・・有線ＬＡＮ、１２・・・無線ＬＡＮ端末、１３・・・通信機器、２０・・・アクセスポイント、２１・・・第２中継部、２２・・・第２チャネル割当部、２３・・・第１チャネル割当部、２４・・・第１中継部、２５・・・有線ＬＡＮ通信判定部、２６・・・中継モード決定部、３０、４０・・・アドレステーブル、３１、４１・・・宛先ＭＡＣアドレス、３２・・・転送先ポート、３３、４２・・・転送先
【図１】
2007006069.tif 000003
【図２】
2007006069.tif 000004
【図３】
2007006069.tif 000005
【図４】
2007006069.tif 000006
【図５】
2007006069.tif 000007